(57)【要約】  本発明は、ハウジングと、画像を取り込むためのハウジングに対して回転可能なカメラユニットと、カメラユニットの回転位置を検出する磁気検出手段と、磁気手段により検出された回転位置に応じてカメラユニットにより取り込まれた画像を改変する画像処理手段とを有する。この磁気検出手段は、カメラユニットに付けられた磁気トランスミッタと、ハウジングに取り付けられた磁気レシーバとを有する。
2008537661.tif 000002
【特許請求の範囲】
【請求項１】
携帯型電子装置であって、
・ハウジングと、
・画像を取り込むための、前記ハウジングに対して回転可能にされたカメラユニットと、
・前記カメラユニットの回転位置を検出するための、前記カメラユニットに取り付けられた磁気トランスミッタ及び前記ハウジングに取り付けられた磁気レシーバを有する磁気検出手段と、
・前記磁気手段により検出された回転位置に応じて前記カメラユニットにより取り込まれた画像を改変する画像処理手段と、
を有し、
前記カメラユニットは、２つの外郭半体を有し、前記磁気トランスミッタは、前記外郭半体のうちの１つに固定される、装置。
【請求項２】
請求項１に記載の携帯型電子装置であって、前記磁気検出手段は、前記カメラユニットに付けられた磁気トランスミッタと、前記ハウジングに付けられた磁気レシーバとを有する、装置。
【請求項３】
請求項２に記載の携帯型電子装置であって、前記磁気トランスミッタは、磁石である、装置。
【請求項４】
請求項２に記載の携帯型電子装置であって、前記磁気レシーバは、ホール効果センサである、装置。
【請求項５】
請求項１に記載の携帯型電子装置であって、前記カメラユニットに固定されたクラウン歯車と前記ハウジングに固定された柔軟プレートとをさらに有し、前記クラウン歯車及び前記柔軟プレートは、互いに結合されている、装置。
【請求項６】
請求項１に記載の携帯型電子装置であって、ディスプレイをさらに有し、前記カメラユニットは、カメラレンズを有し、前記磁気検出手段は、前記ディスプレイ及び前記カメラレンズが前記ハウジングの対向の各側にあるところの前記カメラユニットの所定の回転位置を検出することが可能であり、前記画像処理手段は、前記カメラユニットが前記所定の回転位置にある場合に前記カメラユニットにより取り込まれる画像を逆転するよう構成されている、装置。
【請求項７】
コードレス電話機である請求項１に記載の携帯型電子装置。
【請求項８】
移動電話機である請求項１に記載の携帯型電子装置。
【発明の詳細な説明】
【技術分野】
【０００１】
本発明は、広く携帯型電子装置に関し、特に、画像を取り込むための回転カメラユニットを備えた携帯型電子装置に関する。
【背景技術】
【０００２】
欧州特許出願に係る文献のＥＰ１３８３３２４は、画像を表示するディスプレイと、当該ディスプレイの前面側から背面側へ当該ディスプレイに表示可能な画像の写真を撮影することができるように順逆回転のためのベアリング及びヒンジモジュールにより支持されるカメラユニットとを含む移動電話機の形態の携帯型電子装置を開示している。この移動電話機は、カメラユニットの回転に応じて回転されその周囲方向に沿って配される異なる反射率の複数の領域を有する反射器を有する。制御モードの決定のため、反射型フォトセンサは、光のビームを当該反射器に向けて投射し、当該反射器から反射した光を受光することによりカメラの回転位置を光学的に検出する。
【０００３】
したがって、このカメラユニットの位置は、光学的な検出手段を用いて判定される。このような携帯型電子装置は、寄生の光源の受光の他に、カメラユニットの回転位置の検出を不正に変更する可能性のある塵が入るのを避けるために完全な封止を必要とする。したがって、このような保護封止の実現は複雑であり特にコスト高である。
【発明の開示】
【発明が解決しようとする課題】
【０００４】
本発明の目的は、経済的で従来の方策よりも実現し易い回転カメラユニットとカメラユニットの回転位置を検出する手段とを有する携帯型電子装置を提案することである。
【課題を解決するための手段】
【０００５】
このため、本発明による携帯型電子装置は、
・ハウジングと、
・画像を取り込むための、前記ハウジングに対して回転可能にされたカメラユニットと、
・前記カメラユニットの回転位置を検出するための磁気検出手段と、
・前記磁気手段により検出された回転位置に応じて前記カメラユニットにより取り込まれた画像を改変する画像処理手段と、
を有することを特徴としている。
【０００６】
この結果、従来技術の光学手段を磁気検出手段に置き換えたものとなる。この磁気検出手段は、非常に経済的であり実現し易い。何故なら、当該手段は、塵又は他の寄生の要素に敏感でなく、これにより封止の必要がないからである。
【０００７】
本発明の模範的実施例によれば、前記磁気検出手段は、前記カメラユニットに付けられた磁気トランスミッタと前記ハウジングに付けられた磁気レシーバとを有する。磁気トランスミッタは磁石とすることができる。磁気レシーバは、ホール効果センサとすることができる。
【０００８】
本発明の他の模範的実施例によれば、当該携帯型電子装置は、前記カメラユニットに固定されたクラウン歯車と前記ハウジングに固定された柔軟プレートとを有し、前記クラウン歯車及び前記柔軟プレートは、互いに結合されている。
【０００９】
さらに、本発明の他の模範的実施例によれば、当該携帯型電子装置は、ディスプレイをさらに有し、前記カメラユニットは、カメラレンズを有し、前記磁気検出手段は、前記ディスプレイ及び前記カメラレンズが前記ハウジングの対向の各側にあるところの前記カメラユニットの所定の回転位置を検出することが可能であり、前記画像処理手段は、前記カメラユニットが前記所定の回転位置にある場合に前記カメラユニットにより取り込まれる画像を逆転するよう構成されている。
【００１０】
以下、本発明のこれらの態様及びその他の態様を、以下に説明する実施例に基づいて明らかとする。
【００１１】
以下では、添付図面を参照しつつ例示により本発明をより詳しく説明する。
【発明を実施するための最良の形態】
【００１２】
図面の図１を参照すると、本発明の模範的実施例による携帯型電子装置２０が示されている。この携帯型電子装置は、コードレス電話機か又は移動電話機である。これは、パーソナルディジタルアシスタント（ＰＤＡ）又はカメラとすることもできる。この携帯型電子装置は、ダイヤル登録その他の機能のための多数のボタンスイッチ２２を有するキー入力部２１を含むハウジング２６を有する。表示ユニット２３は、キー登録部２１の上方に割り付けられている。マイクロフォン２４及び拡声スピーカ２５は、携帯型電子装置２０の対向の各端部に位置づけられており、それぞれ、周りの領域からオーディオ信号を受信し電気通信ネットワークから到来するオーディオ信号を送信するために設けられている。
【００１３】
目視可能な外部レンズを備えたカメラユニット１は、表示ユニット２３の上方で、携帯型電子装置２０内へ組み込まれている。このカメラユニットは、被発呼者に関する情報、例えばその顔を示す第１の写真を撮影することができる。このカメラユニットはまた、発呼者に関する情報、例えばその顔を示す第２の写真を撮影することができるので、発呼者は、自分が被発呼者に送る情報を制御することができる。表示ユニット２３は、第１の写真を示す大きなサイズの第１のフレームと、第２の写真を示すそれより小さいサイズの第２のフレームという異なる２つのフレームを有するようにしてもよい。
【００１４】
このようなビデオ送信／受信を達成するため、携帯型電子装置２０は、オーディオ及びビデオコーデック、すなわち符号化器と復号器（図示せず）を有する。一例として、ビデオコーデックは、ＭＰＥＧ４又はＨ．２６３ビデオ符号化／復号規格に基づいている。同様に、オーディオコーデックは、例えば、ＭＰＥＧ−ＡＡＣ又はＧ．７２９オーディオ符号化／復号規格に基づいている。
【００１５】
カメラユニット１は、携帯型電子装置２０のハウジング２６に対して回転式に取り付けられる。
【００１６】
図２に示されるカメラユニット１の第１の位置によれば、カメラレンズは、表示ユニット２３と同じハウジングの側にあり（すなわち、カメラレンズは、＋Ｚ方向に方向づけられ）、カメラユニットは、例えば被発呼者３０の顔３１を示す写真を撮影することができる。この撮影モードは、自画像モードとも呼ばれる。そして携帯型電子装置２０は、撮影写真を表示することができる。
【００１７】
図３に示されるカメラユニット１の第２の位置によれば、カメラレンズは、表示ユニット２３の側とは反対のハウジングの側にあり（すなわち、カメラレンズは−Ｚ方向に方向づけられ）、当該カメラユニットは、被発呼者３０の近くにおいて第三者３２を示す写真を撮影することができる。この撮影モードは、カムコーダモードとも呼ばれる。そして携帯型電子装置は、この撮影された写真を表示することができる。図３に示されるように、撮影画像に対して画像処理を行わない場合、第三者３２のその画像は、表示ユニットで逆さまになる。すなわち、上から下ではなく、実際とは一致しない下から上に人を表示させる。それ故、本発明による携帯型電子装置は、実際に応じた写真が表示されるように写真を逆転させるための慣例的な画像処理手段（図示せず）を有する。このような画像処理手段は、カメラユニットの位置に基づいて、すなわちカメラレンズが−Ｚ方向に方向づけされているときに、撮影画像を逆転するように構成される。このため、本発明による携帯型電子装置は、カメラユニットの位置を検出する検出手段を有する。
【００１８】
図４を参照して検出手段を詳細に説明する。カメラユニット１は、カメラレンズ７を取り囲む第１の外郭半体２ａ及び第２の外郭半体２ｂを有する。このカメラユニット１は、２つのベアリング半体３ａと３ｂとの間に挿入され、このベアリング半体は、カメラユニットがその中で回転することができるような形態で互いに結合されている。ベアリング半体３ａ及び３ｂは、携帯型電子装置２０のハウジングに固定されている。
【００１９】
カメラユニットは、手動で回転されるものとしてもよい。このため、カメラユニット１に固定されたクラウン歯車４は、ハウジングに固定された柔軟性のあるプレート５に結合される。クラウン歯車４と柔軟プレート５との間の結合は、カメラユニットが回転するときはクラウン歯車４の歯車の歯が柔軟プレート５を押圧し、当該回転が停止しているときは柔軟プレート５が２つの歯車の歯の間に留まるようにしている。歯車の歯の位置及び数は、達成すべき基本的回転に依拠している。一例として、歯車の歯は、歯車の歯当たり１５度の回転を達成するように寸法決めされ、クラウン歯車４は、２７０度の最大回転を達成するように１９個の歯車の歯を有する。
【００２０】
カメラユニット１に結合されるリボンケーブル６は、カメラユニットにより取り込まれるビデオデータの送信を可能にし、このケーブルは、ハウジングに付けられる印刷回路基板（ＰＣＢ）８に固定されるコネクタに結合される。リボンケーブル６は、薄膜支持体９、クラウン歯車４及びカメラユニット１が同時に回転するようにクラウン歯車４に固定される薄膜支持体９の周りにおいて被覆及び被覆解除させられることが可能である。ホール効果センサ１１は、ＰＣＢ８に固定される。
【００２１】
ここで図５に移ると、カメラユニットと検出手段の分解図が示される。カメラユニットを取り囲む２つのベアリング半体３ａ及び３ｂは、この分解図の両側で確認することができ、柔軟プレート５は、ベアリング半体３ａに固定される。そして、カメラユニットを形成する第１及び第２の外殻半体２ａ及び２ｂが示される。この分解図に示される本発明の模範的実施例によれば、外郭半体２ｂ、クラウン歯車半体４ｂ及び薄膜支持体９は、一体的材料により作られる。同様に、外郭半体２ａ及びクラウン歯車半体４ａも、一体的材料により作られる。但し、当業者であれば、代替例も可能であり、例えば、薄膜支持体９及びクラウン歯車４は、２つの外郭半体２ａ及び２ｂの組み立て体に固定される個別部品とすることができることが分かる筈である。カメラユニットはまた、カメラレンズ７とリボンケーブル６に結合されるカメラセンサ７ａ（例えば、ＣＭＯＳ又はＣＣＤ）とを有する。
【００２２】
図５は、磁石１０も示しており、これは当該磁石とカメラユニットが同時に回転するように外郭半体のうちの１つ、２ａ又は２ｂに取り付けられる。ホール効果センサ１１は、ハウジングに取り付けられており、カメラユニットに取り付けられている磁石１０と共に検出手段を形成する。
【００２３】
図６及び図７は、カメラユニットの回転位置を検出するための磁気検出手段の動作を示している。これら図によれば、磁石１０は、第１の外郭半体２ａの一部であるリブ１２を用いて外郭半体２Ａに固定されている。
【００２４】
図６によれば、カメラユニットが図３に示されるようなカムコーダモードにあるとき、磁石１０は、当該センサが最小の磁界１４を受け最小の電圧を出力するようホール効果センサ１１の遠いフィールドにある。
【００２５】
図７によれば、カメラユニットが図２に示されるような自画像モードにあるとき、磁石１０は、当該センサが最大の磁界１４を受け最大の電圧を出力するようホール効果センサ１１の近いフィールドにある。
【００２６】
したがって、カメラユニットが２つの上述した位置の間のリブ１２がＰＣＢ８とほぼ位置が一致する中間的位置にあるときには、ホール効果センサ１１は、中間的な磁界１４を受け中間電圧を出力する。この結果、ホール効果センサにより出力される電圧がこの中間電圧よりも高い場合、カメラユニットは、自画像モードとなり、その画像は逆転されない。これに対し、ホール効果センサにより出力される電圧が中間電圧よりも低い場合は、カメラユニットは、カムコーダモードとなり、その画像は、画像処理手段を用いて逆転させられる。
【００２７】
磁気検出手段の動作は、図６及び図７の状況で描かれているが、当業者であれば、本発明が磁石１０のこの特定の位置に限定されないことは明らかである。本発明は、磁気レシーバ（例えばホール効果センサ１１）により伝送される閾値信号が、第１のカメラモードから第２のカメラモードへのスイッチに対応するカメラユニットの閾値回転位置について決定され、当該画像処理手段が、当該与えられる回転位置について磁気レシーバにより伝送される信号の値を当該閾値と比較することに基づいてカメラユニットの与えられる回転位置（第１又は第２のカメラモードに対応する）についてカメラユニットにより撮影される画像を変更するように構成される場合、他の構成の磁気的手段に適用可能である。
【００２８】
なお、本発明は、２つを超えることができる利用可能なカメラモードの数に限定されないし、逆転の機能以外の他の幾何学変換、例えば回転又は変換などとすることができる当該画像処理手段により実現される処理機能によっても限定されるものではない。
【００２９】
また、上述した実施例は、本発明を限定するものではなく例示するものであり、当業者であれば、添付の請求項により規定されるような本発明の範囲を逸脱することなく数多くの代替実施例を構成することができる。請求項において、括弧内に付された参照符号は、その請求項を限定するものと解釈してはならない。「有し」及び「有する」などの文言は、請求項又は明細書全体において挙げたもの以外の要素又はステップの存在を排除するものではない。要素の単数の引用は、そのような要素の複数の引用を排除せず、また逆に要素の複数の引用は、そのような要素の単数の引用を排除しない。本発明は、複数の個別の要素を有するハードウェアによって、また、適切にプログラムされたコンピュータによって実現可能である。複数の手段を列挙する装置の請求項において、これら手段のうちの幾つかが同一アイテムのハードウェアにより具現化することもできる。或る特定の方策が相互に異なる従属請求項に列挙されているという点は、これら方策の組み合わせが活用できないことを示すものではない。
【図面の簡単な説明】
【００３０】
【図１】本発明の模範的実施例による携帯型電子装置を示す図。
【図２】第１の動作モードにおける携帯型電子装置の用例を示す図。
【図３】第２の動作モードにおける携帯型電子装置の用例を示す図。
【図４】本発明の模範的実施例によるカメラユニット及び磁気検出手段の透視図。
【図５】本発明の同じ模範的実施例によるカメラユニット及び磁気検出手段の分解図。
【図６】カメラユニットの回転位置を検出するための磁気検出手段の動作を示す断面図。
【図７】カメラユニットの回転位置を検出するための磁気検出手段の動作を示す断面図。
【図１】
2008537661.tif 000003
【図２】
2008537661.tif 000004
【図３】
2008537661.tif 000005
【図４】
2008537661.tif 000006
【図５】
2008537661.tif 000007
【図６】
2008537661.tif 000008
【図７】
2008537661.tif 000009
【国際調査報告】
2008537661.tif 000010
2008537661.tif 000011